(57)【要約】【課題】  多胴船の横揺れ、縦揺れを抑制させる。【解決手段】  中央部の主船体２９と、その左右両側部に配置してある一対のサイドハル３０，３１とからなる三胴船において、左右のサイドハル３０と３１の各船底部に、ストラット３４と平板３５とからなるＴ字型キール３３を、ストラット３４の上端を船底に対して垂直に取り付けることにより装備させる。三胴船の回転中心Ｏから離れた位置にある左右のサイドハル３０，３１の船底部のＴ字型キール３３で、横揺れ時、縦揺れ時に減衰力を発生させるようにする。【選択図】図１
2008279816.tif 000002
【特許請求の範囲】
【請求項１】
中央部の主船体と、該主船体の左右両側部に配設されるサイドハルを備える多胴船における左右の一部又は全部のサイドハルの船底に、ストラットの先端に平板を水平状態に取り付けてなるＴ字型キールを、ストラットの末端を上記船底に取り付けることにより装備させてなることを特徴とする多胴船の減揺装置。
【請求項２】
多胴船を三胴船として、左右一対のサイドハルの船底に、Ｔ字型キールを、該ストラットの末端を上記船底に取り付けることにより装備させるようにした請求項１記載の多胴船の減揺装置。
【請求項３】
中央部の主船体の船尾側の左右両側部に配設した各サイドハルの船底にＴ字型キールを装備させるようにした請求項１又は２記載の多胴船の減揺装置。
【請求項４】
Ｔ字型キールを、平板に代えて翼形状をした板を用い、該翼形状とした板をストラットの先端に取り付けてＴ字型キールとするようにした請求項１、２又は３記載の多胴船の減揺装置。
【発明の詳細な説明】
【技術分野】
【０００１】
本発明は、船舶の減揺装置、特に、中央部の主船体の左右両側部にサイドハルを備えて、主船体と左右のサイドハルとを半没水状態で航走させるようにしてある多胴船が横揺れするときに、その横揺れを抑制させるようにする多胴船の減揺装置に関するものである。
【背景技術】
【０００２】
船舶の減揺装置としては、従来、種々の構成のものが提案されており、ビルジキールを用いたもの、フィンスタビライザを用いたもの、水中翼を用いたもの等がある。
【０００３】
船舶の減揺装置の１つであるビルジキールは、船体の船底湾曲部であるビルジ部に直角に突出させて取り付けることにより船体の動揺発生時にその動揺を抑えるようにするもので、船体に装備されたものとして次のようなものがある。
【０００４】
図５はその一例を示すもので、船体１の湾曲部外板２に蝶番型接手３を台座４を介して取り付け、この蝶番型接手３にビルジキール５の基端部を取り付けて、蝶番型接手３とともに湾曲部外板２に沿う状態と湾曲部外板２より外方へ直角方向に突出するような状態とに回動できるようにし、ビルジキール５を、油圧装置６によりレバー７と自在継手８を介して回動させるようにしたものである（たとえば、特許文献１参照）。
【０００５】
又、図６に示す如く、船底板９の両側部と船側板１０との交差部に形成されたチャイン部１１に、船尾付近から少なくとも船体中央部付近まで連続して延びるキール部材１２を、船体の両側方に突出させて設けるようにしたものもある（たとえば、特許文献２参照）。
【０００６】
一方、船体の船底部に翼型減揺装置フィンスタビライザを装備した船舶の減揺装置として、図７に示す如く、船体１３の中央部の左右両舷側の船底部に、フィンスタビライザ１４を駆動軸１５を介して横方向へ突出させるようにしたものがある（たとえば、特許文献３参照）。
【０００７】
更に、水中翼を用いて船体の動揺を軽減するようにした船舶の減揺装置として、図８に示す如く、船首部１６ａにおける船体１６の船底１６ｂに、先端（下端）に水中翼１８ａ，１８ｂを取り付けたストラット１７を垂直下向きに取り付けて、水中翼１８ａと１８ｂが水平を維持するようにする。又、上記水中翼１８ａと１８ｂは、一方の水中翼１８ａを可動とし、他方の水中翼１８ｂを固定として、船体１６内部の図示しない駆動機構により、可動側水中翼１８ａを取付け部１９を中心に水平状態から下向き垂直状態に、又はその逆に回動させるようにして、船体の縦揺れと横揺れを防止するようにしたものがある（たとえば、特許文献４参照）。
【０００８】
上記図５乃至図８に示すものは、いずれも一般的な船である単胴の船に主としてビルジキール、フィンスタビライザ、水中翼を装備することにより、減揺効果が得られることを示すものであるが、三胴船に水中翼を装備したものも、これまでに提案されている。
【０００９】
図９はその一例を示すもので、上部船体２０の中央部に、支柱２２を介して主船体としての中央没水体２１を取り付けて没水させるようにすると共に、上記上部船体２０の左右両側部に、側部没水体２３と２４を、それぞれ支柱２５と２６を介し取り付けて、ともに没水させるようにしてある三胴船において、上記中央没水体２１の船首側と船尾側の各左右両側板に、水平方向に水中翼２７と２８が取り付けてある（たとえば、特許文献５参照）。
【００１０】
更に、上記三胴船以外の多胴船として５つの船体を有するペンタマランも知られている。
【００１１】
【特許文献１】実開昭６１−２０３１９５号公報
【特許文献２】特開平６−１５６３６３号公報
【特許文献３】実開平４−４８０９６号公報
【特許文献４】特開平１１−１１３８６号公報
【特許文献５】特開昭６０−８５０８９号公報
【発明の開示】
【発明が解決しようとする課題】
【００１２】
ところが、上記特許文献１乃至特許文献３に記載されているものは、いずれも一般的な単胴型の船の減揺装置として、ビルジキールやフィンスタビライザを装備している例を示すものであって、多胴船の減揺装置の構成を示すものではなく、示唆するものでもない。又、特許文献４に記載されたものは、水中翼１８ａ，１８ｂを船底１６ｂにストラット１７を介して取り付けて、船体の縦揺れと横揺れを減揺するようにしてあるが、多胴船ついてのものではなく、多胴船の減揺装置を示唆するものではない。更に、特許文献５に記載されたものは、多胴船の中央没水体２１に水中翼２７，２８が装備されているが、水中翼による揚力は低速航走時には得られないので、水中翼が装備されていても低速時には減揺効果は得られない。
【００１３】
そこで、本発明は、多胴船について、横揺れに対する減揺効果だけでなく、縦揺れに対する減揺効果も得られてトリムを抑えて船体の推進性能を向上させることができるようにした多胴船の減揺装置を提供しようとするものである。
【課題を解決するための手段】
【００１４】
本発明は、上記課題を解決するために、中央部の主船体と、該主船体の左右両側部に配設されるサイドハルとからなる多胴船における上記左右の一部又は全部のサイドハルの船底に、ストラットの先端に平板を水平状態に取り付けてなるＴ字型キールを、該ストラットの末端を上記船底に取り付けることにより装備させてなる構成とする。
【００１５】
又、上記構成において、多胴船を三胴船として、左右一対のサイドハルの船底に、Ｔ字型キールを、ストラットの末端を上記船底に取り付けることにより装備させるようにした構成とし、又、中央部の主船体の船尾側の左右両側部に配設した各サイドハルの中央部にＴ字型キールを装備させるようにしたり、Ｔ字型キールを、平板に代えて翼形状をした板を用い、該翼形状とした板をストラットの先端に取り付けたＴ字型キールとするようにしてもよい。
【発明の効果】
【００１６】
本発明の多胴船の減揺装置によれば、中央部の主船体と、該主船体の左右両側部に配設されるサイドハルとからなる多胴船における上記左右の各サイドハルの船底に、ストラットの先端に平板を水平状態に取り付けてなるＴ字型キールを、該ストラットの末端を上記船底に取り付けることにより装備させてなる構成としてあり、又、上記構成において、多胴船を三胴船として、左右一対のサイドハルの船底に、Ｔ字型キールを、ストラットの末端を上記船底に取り付けることにより装備させるようにした構成とし、又、中央部の主船体の船尾側の左右両側部に配設した各サイドハルの中央部にＴ字型キールを装備させるようにしたり、Ｔ字型キールを、平板に代えて翼形状をした板を用い、該翼形状とした板をストラットの先端に取り付けたＴ字型キールとするようにしてあるので、次の如き優れた効果を奏し得る。 
（１）左右のサイドハルの船底部に装備させたＴ字型キールの平板がストラットの下端で水平状態に取り付けてあるので、多胴船の横揺れのときは、上記左右の平板の上面と下面に大きな減衰力が発生することから、多胴船の横揺れに対して減揺効果を有すると共に、多胴船が縦揺れしたときは、左右のＴ字型キールの平板の上面と下面に同時に減衰力が作用することにより縦揺れも減揺させることができる。 
（２）左右のサイドハルの船底部にＴ字型キールを装備させることから、多胴船の回転中心から左右のＴ字型キールまでの距離を長くとることができて、多胴船の横揺れ時にＴ字型キールに働く力のレバーを長くとることができる。これにより、多胴船の横揺れ時に発生する減衰力を大きくすることができる。 
（３）上記（２）により多胴船が低速時に横揺れしても、十分な減揺効果を得ることができる。 
（４）Ｔ字型キールの平板を翼形状とすることにより、トリムを抑えて船体の推進性能を向上させることができる。
【発明を実施するための最良の形態】
【００１７】
以下、本発明を実施するための最良の形態を図面を参照して説明する。
【００１８】
図１（イ）（ロ）（ハ）は本発明の多胴船の減揺装置の実施の一形態として、三胴船に適用した場合の一例を示すもので、中央部の主船体２９と該中央部の主船体２９の左右両側部に所要間隔を隔てて配置した一対のサイドハル３０，３１とからなり、上記中央部の主船体２９の左右両側部に所要間隔を隔てて配置したサイドハル３０，３１を主船体２９の甲板３２に一体に取り付けてなる三胴船において、上記左右の各サイドハル３０と３１の船底部に、ストラット３４と該ストラット３４の先端（下端）に水平状態に取り付けた平板３５とからなるＴ字型キール３３を装備する。
【００１９】
詳述すると、多胴船としての三胴船の船型を、上記中央部の主船体２９の船尾側の左右両側部位置に、左右一対のサイドハル３０と３１を配置して、船尾側が三胴構造となるような構成とする。
【００２０】
上記構成の三胴船における左右の各サイドハル３０，３１の船底部の中心位置に、Ｔ字型キール３３をそれぞれ下向き姿勢で取り付けて装備する。上記Ｔ字型キール３３は、上記サイドハル３０，３１の前後方向の長さ寸法よりも前後方向に延びる長さをやや短かくし且つ前端部と後端部が先細となるような断面形状としてあるストラット３４と、該ストラット３４の先端（下端）に水平状態に取り付ける長方形状の平板３５とからなり、上記ストラット３４をサイドハル３０，３１の船底に対して垂直に取り付けて、Ｔ字型キール３３が各サイドハル３０，３１の下方位置で前後方向に延びているようにする。又、上記平板３５は、図１（ロ）に示す如く、前端面と後端面をそれぞれ球面状あるいは鋭角状にして推進抵抗を低減できるようにしてある。３６は水面を示す。
【００２１】
なお、上記各サイドハル３０，３１の船底部に装備するＴ字型キール３３の深さは、図１に示すように主船体２９の船底部の位置に対応するようにしてもよく、あるいは、主船体２９の船底部よりも水深の深いところまで達するようにしてもよい。
【００２２】
上記構成としてあるので、静水時の航走では、中央部の主船体２９と、左右両側部の一対のサイドハル３０，３１がともに半没水状態となり、そのサイドハル３０，３１の船底部にＴ字型キール３３が装備された状態で航走でき、三胴船は安定した姿勢を保持して航走できる。
【００２３】
三胴船の航走時に、波浪等で船体が横揺れし、たとえば、図１（ハ）に示す如く、三胴船に横揺れが生じた場合は、図１（ハ）において右側のサイドハル３１に装備したＴ字型キール３３では、平板３５の上面に矢印ａで示す下向きの減衰力が発生して、平板３５を下方へ押し下げるような力が働く。
【００２４】
一方、図１（ハ）において左側のサイドハル３０に装備したＴ字型キール３３では、平板３５の下面に矢印ｂで示す上向きの減衰力が発生して、平板３５を上方へ押し上げようとする力が働く。これにより図１（ハ）のような方向への横揺れに対しては、図上左側のサイドハル３０には押上げ力が、又、図上右側のサイドハル３１には水中への押下げ力が、それぞれ生じて、三胴船を水平状態に復元させようとする減揺作用が行われ、三胴船の減揺効果を十分に発揮させることができることになる。
【００２５】
上記において、Ｔ字型キール３３は、各々左右のサイドハル３０，３１の船底部に装備されていて、三胴船の回転中心Ｏから大きく離れたところにあるので、Ｔ字型キール３３に働く力のレバーを長くとることができて、より大きな減衰力を発生させることができ、三胴船の横揺れをより有効に減揺させることを可能にできる。したがって、三胴船が低速航走時に横揺れしても、Ｔ字型キール３３に生じる減衰力により、横揺れを抑制することができる。
【００２６】
又、上記三胴船が航走中に縦揺れを生じて船首側と船尾側が大きく上下に変位するようになった場合は、主船体２９の船尾側に相当する位置にある左右の各サイドハル３０，３１の船底部の各Ｔ字型キール３３における平板３５により、同時に上方向と下方向の減衰力が交互に発生する。これにより三胴船の縦揺れで船尾側が沈むときは左右のＴ字型キール３３の平板３５を押し上げようとする大きな減衰力が生じ、逆に船尾側が浮上するようなときは左右のＴ字型キール３３の平板３５を押し下げようとする大きな減衰力が生じることから、縦揺れを有効に抑制することができる。
【００２７】
次に、図２（イ）（ロ）は、本発明の多胴船の減揺装置として、三胴船に適用した場合の実施の他の形態を示すもので、図１（イ）（ロ）（ハ）に示したＴ字型キール３３における平板３５に代えて、翼形状板３７をストラット３４の先端（下端）に取り付けてなるＴ字型キール３８を、三胴船の左右のサイドハル３０，３１の各船底部に装備させるようにしたものである。
【００２８】
この実施の形態によれば、前記した実施の形態と同様の作用効果が得られるほかに、船尾側で上記Ｔ字型キール３８の翼形状板３７により揚力を生じさせることができて、船尾部を浮上させることができる。これにより、三胴船においてトリムを抑え推進性能を向上させることが可能となる。
【００２９】
図３は本発明の実施の他の形態として多胴船としての５つの船体を有するペンタマラン型の五胴船に本発明を適用した場合の一例を示すものである。
【００３０】
図３（イ）（ロ）に示す如く、中央部に主船体４０を有し、船首側の左右両側部に一対のサイドハル４１と４２を有し、更に、船尾側の左右両側部に、上記サイドハル４１，４２よりも外側位置となるように配置されている左右一対のサイドハル４３と４４とを有して広い面積の甲板３９となるようにしてある五胴船において、上記船首側及び船尾側の各左右一対のサイドハル４１，４２及び４３，４４の各船底部の中心位置に、図１（イ）（ロ）（ハ）、図２（イ）（ロ）に示したと同様のＴ字型キール３３又は３８を装備するようにする。図３（ロ）では、一例として、図１（イ）（ロ）（ハ）に示したと同様のストラット３４と平板３５からなるＴ字型キール３３を装備した場合を示している。
【００３１】
この実施の形態によれば、五胴船に斜めからの波が作用して左右のサイドハルに働く波力がアンバランスになることにより、横揺れすることがあっても、Ｔ字型キール３３に生じる減衰力により横揺れを抑制することができる。
【００３２】
図４は図３に示す五胴船とは別の型式のペンタマラン型の五胴船を示すもので、中央部の主船体４０の船首側の左右両側部に設けられる一対のサイドハル４１，４２と、船尾側の左右両側部に設けられる一対のサイドハル４３，４４が対称的に配置されている型式のものである。
【００３３】
このような船型の五胴船においても、図３（イ）（ロ）に示す場合と同様に本発明を適用することができる。
【００３４】
図４に示す五胴船に本発明を適用した正面図は、図１に示したものと同じである。
【００３５】
なお、本発明は、上記した実施の形態のものに限定されるものではなく、たとえば、図２（イ）（ロ）に示す実施の形態において、翼形状板３７は、図示のようにストラット３４の前後方向の長さよりも若干長くして前後両端部がストラット３４より前後方向に突出しているようにすることに代えて、図１（ロ）に示すように、ストラット３４の長さとほぼ同じ長さとした翼形状板３７を用いるようにしてもよく、又、図３（イ）（ロ）に示す五胴船の場合には、すべてのサイドハル４１，４２，４３，４４にＴ字型キール３３を適用した場合を示したが、Ｔ字型キール３３に代えてＴ字型キール３８を取り付けるようにしてもよく、更に、左右一対のサイドハル４３と４４のみにＴ字型キール３３又は３８を取り付けるようにしてもよいこと、その他本発明の要旨を逸脱しない範囲内において種々変更を加え得ることは勿論である。
【図面の簡単な説明】
【００３６】
【図１】本発明の多胴船の減揺装置の実施の一形態を示すもので、（イ）は概略正面図、（ロ）は概略側面図、（ハ）は横揺れしたときの状態を示す概略正面図である。
【図２】本発明の多胴船の減揺装置の実施の他の形態を示すもので、（イ）は概略正面図、（ロ）は概略側面図である。
【図３】本発明の多胴船の減揺装置の実施の更に他の形態を示すもので、（イ）は概略平面図、（ロ）は概略正面図である。
【図４】図３（イ）に示す多胴船としての五胴船の他の型式を示す概略平面図である。
【図５】従来の船舶の減揺装置の一例として一般の単胴船にビルジキールを取り付けている状態を示す横断面図である。
【図６】従来の船舶の減揺を図るために船側板と船底板との交差部にキール部材を取り付けている例を示す断面図である。
【図７】従来の船体の中央部左右両舷側の船底部にフィンスタビライザを取り付けて船舶の減揺を行うようにした例を示す斜視図である。
【図８】船舶の減揺装置として、船体の船首部の船底に水中翼を取り付けた例を示す斜視図である。
【図９】従来の三胴船の中央没水体に水中翼を取り付けた例を示す断面図である。
【符号の説明】
【００３７】
２９  主船体
３０，３１  サイドハル
３３  Ｔ字型キール
３４  ストラット
３５  平板
３７  翼形状板
３８  Ｔ字型キール
４０  主船体
４１，４２  サイドハル
４３，４４  サイドハル
【図１】
2008279816.tif 000003
【図２】
2008279816.tif 000004
【図３】
2008279816.tif 000005
【図４】
2008279816.tif 000006
【図５】
2008279816.tif 000007
【図６】
2008279816.tif 000008
【図７】
2008279816.tif 000009
【図８】
2008279816.tif 000010
【図９】
2008279816.tif 000011